(57)【要約】      （修正有）【課題】公衆ネットワークを通じて接続認証を実施するクルマのインターネット（ＩｏＶ）システム及び接続方法を提供する。【解決手段】ＩｏＶシステムは、遠隔側のクラウド・サーバ１０、ローカル側の車両コンピュータ２０及びモバイル・デバイス３０を含む。モバイル・デバイス３０は、認証コードをクラウド・サーバ１０に送信し、オンライン本人認証を実施する。オンライン本人認証を完了後、ブルートゥース（登録商標）接続を通じてローカルの車両コンピュータ２０を探索し、車両コンピュータ２０と情報を交換し、交換した情報を認証し、認証の完了後、車両コンピュータ２０との接続を確立する。【効果】モバイル・デバイス３０を通じた車両コンピュータ２０に対する制御において、データ交換及び安全な接続の確立の前に、オンライン本人認証を完了させることで接続の安全性を効果的に向上させ、車両窃盗の危険性を低減する。【選択図】図２
2019220936.tif 000002
【特許請求の範囲】
【請求項１】
公衆ネットワークを通じて接続認証を実施するクルマのインターネット（ＩｏＶ）システムであって、
遠隔側に位置し、データを保存、比較するクラウド・サーバ、
車両コンピュータであって、ローカル側に位置し、車両の様々な種類の電子機器を制御するために前記車両に据え付けられ、前記車両コンピュータの中に事前に保存した第１のブロードキャスト名及び第１のブルートゥース（登録商標）鍵を有する車両コンピュータ、及び、
前記クラウド・サーバ及び前記車両コンピュータに接続され、第２のブロードキャスト名及び第２のブルートゥース鍵を有するモバイル・デバイス、を備え、
前記モバイル・デバイスは、認証コードを取得し、前記認証コードを前記クラウド・サーバに送信し、オンライン本人認証を完了し、ブルートゥース・プロトコルに従って前記車両コンピュータを探索し、前記車両コンピュータ内の前記第１のブロードキャスト名及び前記第１のブルートゥース名を前記車両コンピュータから送信することと引き換えに、前記第２のブロードキャスト名及び前記第２のブルートゥース鍵を前記車両コンピュータに送信し、
前記車両コンピュータは、前記交換した第２のブロードキャスト名及び前記交換した第２のブルートゥース鍵を、前記モバイル・デバイスから送信した前記第１のブロードキャスト名及び前記第１のブルートゥース鍵に対して認証し、認証に成功した後、前記車両コンピュータとの接続を確立することを特徴とする、
クルマのインターネット（ＩｏＶ）システム。
【請求項２】
前記クラウド・サーバは、前記受信した認証コードが、事前に保存した認証コードと同一であるかどうかを比較し、比較結果が正である場合、本人認証完了通知を前記モバイル・デバイスに送信することを特徴とする、請求項１に記載のＩｏＶシステム。
【請求項３】
前記モバイル・デバイスは、前記車両コンピュータを発見した際、前記第１のブロードキャスト名を受信し、前記第１のブロードキャスト名が前記第２のブロードキャスト名と同一であるかどうかを決定し、前記モバイル・デバイスは、前記第１のブロードキャスト名が前記第２のブロードキャスト名と同一である場合、ブロードキャスト認証完了通知を表示することを特徴とする、請求項２に記載のＩｏＶシステム。
【請求項４】
前記第２のブルートゥース鍵による前記第１のブルートゥース鍵の認証に成功した場合、前記車両コンピュータは、鍵認証完了通知を前記モバイル・デバイスに送信することを特徴とする、請求項３に記載のＩｏＶシステム。
【請求項５】
前記クラウド・サーバは、多数個のセキュリティ・データを含み、各セキュリティ・データは、第１のブロードキャスト名、第１のブルートゥース鍵、第２のブロードキャスト名、第２のブルートゥース鍵、認証コード、及び本人情報を含み、前記クラウド・サーバは、前記車両コンピュータから送信した設定通知に従って、前記多数個のセキュリティ・データのうち１つの前記第１のブロードキャスト名及び前記第１のブルートゥース鍵を前記車両コンピュータに送信することを特徴とする、請求項１から４のいずれか一項に記載のＩｏＶシステム。
【請求項６】
前記クラウド・サーバは、前記モバイル・デバイスから送信した本人情報と同一の本人情報を含む前記多数個のセキュリティ・データのいずれか１つを識別し、前記クラウド・サーバは、前記クラウド・サーバから前記モバイル・デバイスに送信した本人情報と同じ本人情報を有する前記１つのセキュリティ・データの前記認証コード、前記第２のブロードキャスト名及び前記第２のブルートゥース鍵を送信することを特徴とする、請求項５に記載のＩｏＶシステム。
【請求項７】
モバイル・デバイスを有するクルマのインターネット（ＩｏＶ）システムによって実施される、公衆ネットワークを通じて接続認証を実施する接続方法であって、
前記モバイル・デバイスは、クラウド・サーバに遠隔側で接続され、車両コンピュータにローカル側で接続され、
前記接続方法は、
前記モバイル・デバイスを通じて認証コードを取得するステップ、
オンライン本人認証を完了するために、前記モバイル・デバイスを通じて前記クラウド・サーバに前記認証コードを送信するステップ、
前記車両コンピュータを探索し、前記車両コンピュータと情報を交換し、前記モバイル・デバイスを通じて前記交換した情報を認証するステップ、及び、
前記モバイル・デバイスを通じて前記車両コンピュータとの接続を確立するステップ、を含む、
接続方法。
【請求項８】
前記認証コードを前記クラウド・サーバに送信する前記ステップは、前記モバイル・デバイスを通じて前記クラウド・サーバに前記認証コードを送信するステップ、前記クラウド・サーバによって、前記認証コードが、前記クラウド・サーバ内に保存した認証コードと同一であるかどうかを比較するステップ、比較結果が正である場合、前記クラウド・サーバによって、本人認証完了通知を前記モバイル・デバイスに送信するステップ、及び、前記比較結果が否である場合、前記クラウド・サーバによって、本人認証エラー通知を前記モバイル・デバイスに送信し、前記認証コードを前記クラウド・サーバに送信するステップを再度開始するステップ、を含むことを特徴とする、請求項７に記載の接続方法。
【請求項９】
前記車両コンピュータは、前記車両コンピュータの中に事前に保存した第１のブロードキャスト名及び第１のブルートゥース鍵を有し、前記モバイル・デバイスは、前記モバイル・デバイスの中に事前に保存した第２のブロードキャスト名及び第２のブルートゥース鍵を有し、前記車両コンピュータを探索するステップは、前記モバイル・デバイスを通じて前記車両コンピュータの前記第１のブロードキャスト名を受信するステップ、前記モバイル・デバイスによって、前記受信した第１のブロードキャスト名が前記モバイル・デバイスの前記第２のブロードキャスト名と同一であるかどうかを決定するステップ、決定結果が正である場合、前記モバイル・デバイスを通じて、ブロードキャスト認証完了通知を表示し、前記第２のブルートゥース鍵を前記車両コンピュータに送信するステップ、前記車両コンピュータによって、前記第２のブルートゥース鍵が前記受信した第１のブルートゥース鍵に対する認証に成功したかどうかを決定するステップ、及び、決定結果が正である場合、前記車両コンピュータを通じて、鍵認証完了通知を前記モバイル・デバイスに送信するステップ、を更に含むことを特徴とする、請求項８に記載の接続方法。
【請求項１０】
前記クラウド・サーバは、多数個のセキュリティ・データを含み、各個のセキュリティ・データは、第１のブロードキャスト名、第１のブルートゥース鍵、第２のブロードキャスト名、第２のブルートゥース鍵、認証コード、及び本人情報を含み、前記クラウド・サーバは、前記車両コンピュータから送信した設定通知に従って、前記多数個のセキュリティ・データのうち１つの前記第１のブロードキャスト名及び前記第１のブルートゥース鍵を前記車両コンピュータに送信することを特徴とする、請求項７から９のいずれか一項に記載の接続方法。
【請求項１１】
前記クラウド・サーバは、前記モバイル・デバイスから送信した本人情報と同一の本人情報を含む前記多数個のセキュリティ・データのいずれか１つを識別し、前記クラウド・サーバは、前記クラウド・サーバから前記モバイル・デバイスに送信した本人情報と同じ本人情報を有する前記１つのセキュリティ・データの前記認証コード、前記第２のブロードキャスト名及び前記第２のブルートゥース鍵を送信し、前記モバイル・デバイスが表示、保存することを特徴とする、請求項１０に記載の接続方法。
【発明の詳細な説明】
【技術分野】
【０００１】
本発明は、クルマのインターネット（ＩｏＶ）システムに関し、より詳細には、公衆ネットワークを通じて接続認証を実施するＩｏＶシステム、及び接続方法に関する。
【背景技術】
【０００２】
急速な情報技術の発展により、他の産業チェーンが変革過程を受けている。自動車産業を一例として考えると、運転手の運転の快適さ、操縦性、安全性等の向上を余儀なくされているため、車両製造業者は、相次いで、多くのインテリジェントな運転支援システムを車両に装備させている。
【０００３】
車両をワイヤレスに制御するために、現在、ユーザは、モバイル・デバイスを用いて、ブルートゥース（登録商標）接続を通じて車両コンピュータとの接続を確立でき、これにより、モバイル・デバイスが、車両ドアのロック若しくはロック解除を制御するか、又は車両コンピュータに警報を出させることができる。
しかし、モバイル・デバイスは、後に車両コンピュータに直接接続するために、車両コンピュータとの接続を最初に構築するだけでよい。このため、操作時、モバイル・デバイスに不確実な接続に対する保護がないと、モバイル・デバイスを紛失した際、モバイル・フォンを発見した何者かが車両コンピュータとの接続を確立して車両を制御するおそれがあり、車両窃盗の予防は不完全である。
【発明の概要】
【発明が解決しようとする課題】
【０００４】
本発明の目的は、公衆ネットワークを通じて接続認証を実施するクルマのインターネット（ＩｏＶ）システム、及び接続方法を提供することであり、クルマのインターネット（ＩｏＶ）システム及び接続方法は、車両コンピュータとの安全な接続のために、オンライン本人認証の後に実施され、データ交換本人認証は、モバイル・デバイスによって同時に実施され、モバイル・デバイスと車両コンピュータとの間の接続の安全性を向上させる。
【課題を解決するための手段】
【０００５】
上記の目的を達成するために、ＩｏＶシステムは、クラウド・サーバ、車両コンピュータ及びモバイル・デバイスを含む。
【０００６】
クラウド・サーバは、遠隔側に位置し、データを保存、比較する。
【０００７】
車両コンピュータは、ローカル側に位置し、車両の様々な種類の電子機器を制御するために車両に据え付けられ、車両コンピュータの中に事前に保存した第１のブロードキャスト名及び第１のブルートゥース鍵を有する。
【０００８】
モバイル・デバイスは、クラウド・サーバ及び車両コンピュータに接続され、第２のブロードキャスト名及び第２のブルートゥース鍵を有する。
【０００９】
モバイル・デバイスは、認証コードを取得し、認証コードをクラウド・サーバに送信し、オンライン本人認証を完了し、ブルートゥース・プロトコルに従って車両コンピュータを探索し、車両コンピュータ内の第１のブロードキャスト名及び第１のブルートゥース名を車両コンピュータから送信することと引き換えに、第２のブロードキャスト名及び第２のブルートゥース鍵を車両コンピュータに送信し、車両コンピュータが、交換した第２のブロードキャスト名及び交換した第２のブルートゥース鍵を、モバイル・デバイスから送信した第１のブロードキャスト名及び第１のブルートゥース鍵に対して認証し、認証に成功した後、車両コンピュータとの接続を確立する。
【００１０】
上記のシステムから分かるように、クラウド・サーバによりオンライン本人認証を完了した後、モバイル・デバイスは、ブルートゥース接続を通じて車両コンピュータを探索し、データ交換及び情報認証の完了後、車両コンピュータとの接続を確立し、接続の安全性を向上させ、車両窃盗を減らすようにする。
【００１１】
上記の目的を達成するために、公衆ネットワークを通じて接続認証を実施する接続方法は、モバイル・デバイスによるクルマのインターネット（ＩｏＶ）システムによって実施され、モバイル・デバイスは、クラウド・サーバに遠隔側で接続され、車両コンピュータにローカル側で接続され、接続方法は、モバイル・デバイスを通じて認証コードを取得するステップ、オンライン本人認証を完了するために、モバイル・デバイスを通じてクラウド・サーバに認証コードを送信するステップ、モバイル・デバイスを通じて車両コンピュータを探索し、車両コンピュータと情報を交換し、交換した情報を認証するステップ、及び、モバイル・デバイスを通じて車両コンピュータとの接続を確立するステップ
を含む。
【００１２】
上記接続方法から、クラウド・サーバによりオンライン本人認証を完了した後、モバイル・デバイスは、ブルートゥース接続を通じて車両コンピュータを探索し、交換データの認証完了後、車両コンピュータとの接続を確立し、接続の安全性を向上させ、車両窃盗の危険性を減らすようにする。
【００１３】
本発明の他の目的、利点及び新規の特徴は、添付の図面と合わせて、以下の詳細な説明からより明らかになるであろう。
【図面の簡単な説明】
【００１４】
【図１】本発明による、公衆ネットワークを通じて接続認証を実施するＩｏＶシステムのシステム構造を示す第１の機能ブロック図である。
【図２】本発明による、公衆ネットワークを通じて接続認証を実施するＩｏＶシステムのシステム構造を示す第２の機能ブロック図である。
【図３】本発明による、公衆ネットワークを通じて接続認証を実施するＩｏＶシステムのシステム構造を示す第３の機能ブロック図である。
【図４】図１、図２及び図３のＩｏＶシステムの車両コンピュータが、第１のブルートゥース鍵及び第１のブロードキャスト名を取得することを示す流れ図である。
【図５】図１、図２及び図３のＩｏＶシステムのモバイル・デバイスが、第２のブルートゥース鍵及び第２のブロードキャスト名を取得することを示す流れ図である。
【図６】本発明による接続方法を示す第１の流れ図である。
【図７】本発明による接続方法を示す第２の流れ図である。
【図８】本発明による接続方法を示す第３の流れ図である。
【発明を実施するための形態】
【００１５】
図１を参照する。本発明による、公衆ネットワークを通じて接続認証を実施するＩｏＶ（クルマのインターネット）システムは、遠隔側のクラウド・サーバ１０、ローカル側の車両コンピュータ２０、及びモバイル・デバイス３０を含む。
モバイル・デバイス３０は、クラウド・サーバ１０及び車両コンピュータ２０に接続されている。車両コンピュータ２０は、車両の様々な種類の電子機器を制御するために、車両内に据え付けられる。モバイル・デバイス３０は、スマート・フォン、タブレット・パーソナル・コンピュータ又は装着可能スマート・デバイスであってもよい。
【００１６】
図２及び図３を参照する。車両コンピュータ２０は、第１のプロセッサ２１、第１の記憶ユニット２２及び第１のブルートゥース・ユニット２３を含む。
第１のプロセッサ２１は、第１の記憶ユニット２２及び第１のブルートゥース・ユニット２３に接続され、受信データを処理する。第１の記憶ユニット２２は、データを保存するように働く。第１のブルートゥース・ユニット２３は、モバイル・デバイス３０を接続し、モバイル・デバイス３０に及びモバイル・デバイス３０からデータを送受信する。
【００１７】
第１の記憶ユニット２２は、第１の記憶ユニット２２の中に事前に保存した第１のブロードキャスト名及び第１のブルートゥース鍵を有する。事前に保存する方法は、後に説明する。第１のブルートゥース・ユニット２３は、ブルートゥース・プロトコルに準拠し、ブルートゥース・プロトコルは、ブルートゥース１．０、ブルートゥース２．０、ブルートゥース３．０、ブルートゥース４．０、ブルートゥース５．０又はより新しいブルートゥース・プロトコルであってもよい。
【００１８】
モバイル・デバイス３０は、第２のプロセッサ３１、第２の記憶ユニット３２、通信ユニット３３、第２のブルートゥース・ユニット３４及びタッチ・ディスプレイ・モジュール３５を含む。第２のプロセッサ３１は、第２の記憶ユニット３２、通信ユニット３３、第２のブルートゥース・ユニット３４及びタッチ・ディスプレイ・モジュール３５に接続され、受信データを処理する。第２の記憶ユニット３２は、データを保存するように働く。
通信ユニット３３は、ネットワークを通じてクラウド・サーバ１０に接続され、クラウド・サーバ１０からのデータを送受信する。第２のブルートゥース・ユニット３４は、車両コンピュータ２０の第１のブルートゥース・ユニット２３を接続し、車両コンピュータ２０への及び車両コンピュータ２０からデータを送受信するように働く。タッチ・ディスプレイ・モジュール３５は、データを入力し、第２のプロセッサ３１に入力データを送信し、第２のプロセッサ３１の制御下、情報を処理又は表示する。タッチ・ディスプレイ・モジュール３５は、タッチ・スクリーンであってもよい。
【００１９】
モバイル・デバイス３０は、モバイル・デバイス３０内にインストールしたアプリケーションを有し、ユーザは、タッチ・ディスプレイ・モジュール３５を通してアプリケーションを操作し、車両コンピュータ２０から及び車両コンピュータ２０へデータを送受信するか、クラウド・サーバ１０を通じてデータを認証するか、又はクラウド・サーバ１０により車両コンピュータ２０との接続を確立するようにする。
【００２０】
第２の記憶ユニット３２は、第２の記憶ユニット２２の中に事前に保存した第２のブロードキャスト名及び第２のブルートゥース鍵を有する。事前に保存する方法は、後に説明する。第２のブルートゥース・ユニット３４は、ブルートゥース・プロトコルに準拠し、ブルートゥース・プロトコルは、ブルートゥース１．０、ブルートゥース２．０、ブルートゥース３．０、ブルートゥース４．０、ブルートゥース５．０又はより新しいブルートゥース・プロトコルであってもよい。
【００２１】
互いに異なる多数個のセキュリティ・データを含むセキュリティ・データ・マッピング・テーブルは、クラウド・サーバ１０内に事前に保存する。各個のセキュリティ・データは、第１のブロードキャスト名、第１のブルートゥース鍵、第２のブロードキャスト名、第２のブルートゥース鍵、本人情報、及び認証コードを有する。言及するに値することは、第１のブロードキャスト名及び第２のブロードキャスト名は、同じであってもよく、第１のブルートゥース鍵及び第２のブルートゥース鍵は、Ｈａｓｈ、ＡＥＳ、ＲＳＡ、ＰＫＣＳ等の対称鍵若しくは非対称鍵であるか、又は他のより確実な認証方式である。
【００２２】
第１のブロードキャスト名及び第１のブルートゥース鍵を車両コンピュータ２０内に事前に保存する方法について、図４を参照する。車両コンピュータ２０の製造業者が車両コンピュータ２０を構成しようとする際、車両コンピュータ２０は、有線又はワイヤレス式にクラウド・サーバ１０に接続させることができ、ＩｏＶシステムは、以下のステップを実施する。
【００２３】
ステップＳ４１：車両コンピュータは、クラウド・サーバ１０に設定通知を送信する。
【００２４】
ステップＳ４２：クラウド・サーバは、設定通知を受信すると、セキュリティ・データ・マッピング・テーブル内の多数個のセキュリティ・データのうち１つを選択する。
【００２５】
ステップＳ４３：クラウド・サーバ１０は、選択した１つのセキュリティ・データ内の第１のブロードキャスト名及び第１のブルートゥース鍵を車両コンピュータ２０に送信する。
【００２６】
ステップＳ４４：車両コンピュータ２０は、第１のブロードキャスト名及び第１のブルートゥース鍵を保存する。本実施形態では、車両コンピュータの名前は、第１のブロードキャスト名と同じであるように設定する。
【００２７】
第２のブロードキャスト名及び第２のブルートゥース鍵をモバイル・デバイス３０内に事前に保存する方法に関して、図５を参照する。ユーザは、車両コンピュータ２０を購入した際、車両コンピュータ２０と対合するカードを受け取る。このカードは、車両コンピュータ２０の中に記録した本人情報を有する。
モバイル・デバイス３０の第２のプロセッサ３１が、タッチ・ディスプレイ・モジュール３５を通じてユーザの入力した本人情報を受信すると、ＩｏＶシステムは、以下のステップを実施する。
【００２８】
ステップＳ５１：モバイル・デバイス３０は、通信ユニット３３を通じてクラウド・サーバ１０に本人情報を送信する。
【００２９】
ステップＳ５２：クラウド・サーバ１０は、本人情報を受信すると、多数個のセキュリティ・データのいずれかが、受信した本人情報と同一の本人情報を中に含んでいるかどうかを調べる。
【００３０】
ステップＳ５３：クラウド・サーバ１０は、多数個のセキュリティ・データのいずれかの中に同一の本人情報を発見した場合、第２のブルートゥース鍵、第２のブロードキャスト名及び認証コードをモバイル・デバイス３０の通信ユニット３３に送信する。
【００３１】
ステップＳ５４：第２のプロセッサ３１は、第２のブルートゥース鍵及び第２のブロードキャスト名を受信し、第２の記憶ユニット３２内に保存し、受信した認証コードをタッチ・ディスプレイ・モジュール３５上に表示する。本実施形態では、本人情報は、ユーザのＩＤ（本人確認）及びユーザ・パスワードを含む。
【００３２】
車両は、モバイル・デバイス３０が車両コンピュータ２０との接続を確立した後にのみ、モバイル・デバイス３０によって制御できる。モバイル・デバイス３０と車両コンピュータ２０との間の接続を確立する方法は、以下のように詳述される。
ユーザは、タッチ・ディスプレイ・モジュール３５を操作し、第２のプロセッサ３１を制御し、モバイル・デバイス３０内のアプリケーションを実行し、クラウド・サーバ１０から取得した認証コードを入力する。第２のプロセッサ３１は、認証コードを受信すると、通信ユニット３３を通じて認証コードをクラウド・サーバ１０に送信する。クラウド・サーバ１０は、認証コードを受信すると、オンライン本人認証を実施する。オンライン本人認証が完了すると、クラウド・サーバ１０は、本人認証完了通知を通信ユニット３３に送信し、第２のプロセッサ３１は、タッチ・ディスプレイ・モジュール３５に本人認証完了通知を表示するように指示する。それ以外の場合、クラウド・サーバ１０は、本人認証エラー通知を通信ユニット３３に送信し、第２のプロセッサ３１は、タッチ・ディスプレイ・モジュール３５に本人認証エラー通知を表示するように指示する。
本実施形態では、オンライン本人認証とは、クラウド・サーバ１０が、多数個のセキュリティ・データのいずれかの認証コードが、受信した認証コードと同一であるかどうかを識別し、認証コードの両方が同一である場合、オンライン本人認証を完了し、そうではない場合、オンライン本人認証は不完全であることを意味する。
【００３３】
オンライン本人認証の完了によって、次に、アプリケーションは、モバイル・デバイス３０を制御して車両コンピュータ２０と接続するため、権限のない人が車両にアクセスするのを防止し、安全な接続のための第１の保護方式を達成する。
【００３４】
オンライン本人認証の完了後、次に、ユーザは、アプリケーションを実施でき、モバイル・デバイス３０は、車両コンピュータ２０を探索し、車両コンピュータ２０と情報を交換し、交換した情報の認証後、車両コンピュータとの接続を確立する。情報を交換、認証する方法は、以下の２つの部を含む。
【００３５】
まず、ユーザは、タッチ・ディスプレイ・モジュール３５を通じてアプリケーションを操作でき、車両コンピュータ２０の第１のブルートゥース・ユニット２３によってブロードキャストされた第１のブロードキャスト名を探索して、第２のプロセッサ３１がモバイル・デバイス３０の第２のブルートゥース・ユニット３４を制御することを可能にする。
第１のブロードキャスト名が発見されると、第２のプロセッサ３１は、第２のブルートゥース・ユニット３４を通じて第１のブロードキャスト名を受信し、受信した第１のブロードキャスト名が第２の記憶ユニット３２内に保存した第２のブロードキャスト名と同一か、同一ではないかを比較する。第１のブロードキャスト名及び第２のブロードキャスト名を比較して同じであった場合、第２のプロセッサ３１は、タッチ・ディスプレイ・モジュール３５を制御し、ユーザに認識させるためのブロードキャスト認証完了通知を表示する。本実施形態では、両方のブロードキャスト名を比較して同じではなかった場合、ユーザに認識させるためのブロードキャスト認証エラー通知を表示する。
【００３６】
第２に、第２のプロセッサ３１は、第２のブルートゥース・ユニット３４を通じて車両コンピュータ２０の第１のブルートゥース・ユニット２３に第２のブルートゥース鍵を送信する。第１のプロセッサ２１は、受信した第２のブルートゥース鍵を、第１の記憶ユニット２２内に保存した第１のブルートゥース鍵に対して認証する。認証に成功した場合、第１のプロセッサ２１は、第１のブルートゥース・ユニット２３を通じて第２のブルートゥース・ユニット３４に鍵認証完了通知を送信する。
次に、第２のプロセッサ３１は、タッチ・ディスプレイ・モジュール３５を制御し、鍵認証完了通知を表示させ、モバイル・デバイス３０が車両コンピュータ２０と接続し、ユーザが、アプリケーションの操作を通じて車両を制御することを可能にする。認証に成功しなかった場合、車両コンピュータ２０は、鍵認証エラー通知をモバイル・デバイス３０に送信し、鍵認証エラー通知は、ユーザに認識させるためタッチ・ディスプレイ・モジュール３５上に表示され、したがって、モバイル・デバイス３０が、モバイル・デバイス３０と対合しない車両コンピュータ２０に接続されることを防止し、不成功接続の誤り率を低減し、安全な接続のための第２の保護方式を達成する。第１のブルートゥース鍵及び第２のブルートゥース鍵は対称鍵であってもよい。
この状況下、第１のブルートゥース鍵及び第２のブルートゥース鍵に関する認証の成功は、第１のブルートゥース鍵が第２のブルートゥース鍵と同一であることを意味する。代替的に、第１のブルートゥース鍵及び第２のブルートゥース鍵は非対称鍵であってもよい。この状況下、第１のブルートゥース鍵及び第２のブルートゥース鍵に関する認証の成功は、第１のブルートゥース鍵及び第２のブルートゥース鍵は互いに対合することを意味する。
【００３７】
上記の説明に基づき、ＩｏＶシステムを使用する接続方法を更に導くことができる。図６を参照する。モバイル・デバイス３０は、遠隔側でクラウド・サーバ１０に接続され、ローカル側で車両コンピュータ２０に接続されている。接続方法は、ＩｏＶシステムによって実施され、以下のステップを含む。
【００３８】
ステップＳ６１：モバイル・デバイス３０は、認証コードを取得する。
【００３９】
ステップＳ６２：モバイル・デバイス３０は、認証コードを遠隔側のクラウド・サーバ１０に送信し、オンライン本人認証を完了する。
【００４０】
ステップＳ６３：モバイル・デバイス３０は、ローカル側の車両コンピュータ２０を探索し、ブルートゥース接続を通じて、車両コンピュータ２０と情報を交換し、交換した情報を認証する。
【００４１】
ステップＳ６４：モバイル・デバイス３０は、車両コンピュータ２０に接続する。
【００４２】
図７を参照する。ステップＳ６２は、以下のステップを更に含む。
【００４３】
ステップＳ６２１：モバイル・デバイス３０は、認証コードを遠隔側のクラウド・サーバ１０に送信する。
【００４４】
ステップＳ６２２：クラウド・サーバ１０は、この認証コードがクラウド・サーバ１０内に保存した認証コードと同一であるかどうか比較する。比較結果が正である場合、ステップＳ６２３を実施する。それ以外の場合、ステップＳ６２４を実施する。
【００４５】
ステップＳ６２３：クラウド・サーバ１０は、本人認証完了通知をモバイル・デバイス３０に送信する。
【００４６】
ステップＳ６２４：クラウド・サーバ１０は、本人認証エラー通知をモバイル・デバイス３０に送信し、ステップＳ６２１を再度開始する。
【００４７】
図８を参照する。ステップＳ６３は、以下のステップを更に含む。
【００４８】
ステップＳ６３１：モバイル・デバイス３０は、車両コンピュータ２０の第１のブロードキャスト名を受信する。
【００４９】
ステップＳ６３２：モバイル・デバイス３０は、受信した第１のブロードキャスト名がモバイル・デバイスの第２のブロードキャスト名と同一であるかどうかを決定する。決定結果が正である場合、ステップＳ６３３を実施する。それ以外の場合、ステップＳ６３７を実施し、次に、ステップＳ６３１を再度開始する。
【００５０】
ステップＳ６３３：モバイル・デバイス３０は、ユーザに認識させるためのブロードキャスト認証完了通知を表示する。
【００５１】
ステップＳ６３４：モバイル・デバイス３０は、車両コンピュータ２０に第２のブルートゥース鍵２０を送信する。
【００５２】
ステップＳ６３５：車両コンピュータ２０は、受信した第２のブルートゥース鍵が、車両コンピュータ２０の第１のブルートゥース鍵に対する認証に成功したかどうかを決定する。決定結果が正である場合、ステップＳ６３６を実施し、次に、ステップＳ６４を再度開始する。それ以外の場合、ステップＳ６３８を実施し、次に、ステップＳ６３１を再度開始する。
【００５３】
ステップＳ６３６：車両コンピュータ２０は、ユーザに認識させるための鍵認証完了通知をモバイル・デバイス３０に送信する。
【００５４】
ステップＳ６３７：モバイル・デバイス３０は、ユーザに認識させるためのブロードキャスト認証エラー通知を表示する。
【００５５】
ステップＳ６３８：車両コンピュータ２０は、ユーザに認識させるための鍵認証エラー通知をモバイル・デバイス３０に送信する。
【００５６】
まとめると、本発明は、以下の特徴を含む。
【００５７】
１．モバイル・デバイス３０が車両コンピュータ２０との接続の確立を必要とするたびに、認証コードと引き換えに本人情報を入力することによって、モバイル・デバイス３０は、クラウド・サーバ１０を通じてオンライン本人認証を実行し、認証コードを認証しなければならない。そのような認証手法により、安全な接続のための第１の保護方式をもたらし、第１の保護方式は、ユーザが、モバイル・デバイス３０を操作し、車両コンピュータ２０に接続するための権限を必ず取得することを必要とする。
【００５８】
２．モバイル・デバイス３０に対し制御可能である車両コンピュータ２０は、モバイル・デバイス３０及び車両コンピュータ２０のブロードキャスト名を通じて認識でき、これにより、誤った接続又は権限のない接続に関する問題に対処し、安全な接続のための第２の保護方式を達成する。
【００５９】
３．モバイル・デバイス３０及び車両コンピュータ２０内のブルートゥース鍵の認証は、モバイル・デバイス３０内のブルートゥース鍵と車両コンピュータとの間の不一致を考慮しない過失に起因する権限のない接続の可能性を防止し、安全な接続のための第２の保護方式を達成できる。
【００６０】
オンライン本人認証、情報交換、及び交換情報の認証のために、本発明は、安全な接続のための多種多様な保護機構を達成し、これにより、安全な接続のための保護効果を車両窃盗に対して効果的に増大させる。
【００６１】
本発明の多数の特性及び利点を、本発明の構造及び機能の詳細と共に上記の説明で示してきたが、本開示は例示にすぎない。特に本発明の原理内の部品の形状、サイズ及び構成に関する事項において、添付の特許請求の範囲が表す用語の広い一般的な意味によって示される全範囲まで、細部の変更を行うことができる。
【符号の説明】
【００６２】
１０  クラウド・サーバ
２０  車両コンピュータ
２１  第１のプロセッサ
２２  第１の記憶ユニット
２３  第１のブルートゥース・ユニット
３０  モバイル・デバイス
３１  第２のプロセッサ
３２  第２の記憶ユニット
３３  通信ユニット
３４  第２のブルートゥース・ユニット
３５  タッチ・ディスプレイ・モジュール
【図１】
2019220936.tif 000003
【図２】
2019220936.tif 000004
【図３】
2019220936.tif 000005
【図４】
2019220936.tif 000006
【図５】
2019220936.tif 000007
【図６】
2019220936.tif 000008
【図７】
2019220936.tif 000009
【図８】
2019220936.tif 000010